(57)【要約】【課題】ベルト等の部材がなくても、被載置用の電気機器等の被載置体にテレビジョンを固定して地震等の際にテレビジョンが転倒することを防止させることが望まれていた。【解決手段】延出した電源コード（絶縁電線）１２を有するＴＶ（載置用の電気機器）１０がＤＶＤプレーヤ（被載置体）２０に載置されたときにＴＶ１０をＤＶＤプレーヤ２０に固定する際、ＤＶＤプレーヤ２０に、電源コード１２を掛止可能な掛止部２３を設け、電源コード１２を掛止部２３に掛止してＴＶ１０をＤＶＤプレーヤ２０に固定するようにした。ＴＶ１０に設けられた電源コード１２を利用することにより、別途ベルト等の部材を用意する必要なく、容易にＴＶ１０をＤＶＤプレーヤ２０に固定することができ、地震等の際にＴＶ１０が転倒することを防ぐことが可能となる。【選択図】  図３
2004297252.tif 000002
【特許請求の範囲】
【請求項１】
キャビネットに基部を固定されて同キャビネットから略後方に延出した断面が非円形の電源コードを有するテレビジョンが被載置体に載置されたときに同テレビジョンを同被載置体に固定することにより、振動が加えられた際にテレビジョンが転倒することを防止するテレビジョン固定構造において、
上記被載置体は、上記テレビジョンが載置される被載置用の電気機器であり、
上記被載置用の電気機器には、当該電気機器の底面と背面とで作られる稜の部分を切り欠いた切欠部が形成され、当該切欠部には、略下方に延出して上記電源コードを掛止可能な一対の掛止部が設けられ、当該一対の掛止部のそれぞれには、下端部から略水平方向であって互いに略反対方向に延出して上記掛止した電源コードの脱落を防ぐ延出部が形成され、さらに、当該延出部には、先端部から略上方に突出した突起が形成され、
略鉛直方向における上記突起の上端部と上記切欠部との間隔は、上記電源コードの断面において最も長くなる最長方向の長さより短く、かつ、同電源コードの断面において最も短くなる最短方向の長さより長くされ、
略鉛直方向における上記突起の下端部と上記切欠部との間隔は、上記電源コードの断面における最長方向の長さより長くされ、
上記テレビジョンは、上記電源コードが上記突起と上記切欠部の間から上記延出部と上記切欠部の間に挿入されて上記一対の掛止部に巻かれて掛止されることにより、上記被載置用の電気機器に固定されることを特徴とするテレビジョン固定構造。
【請求項２】
延出した絶縁電線を有する電気機器が被載置体に載置されたときに同電気機器を同被載置体に固定する電気機器固定構造であって、
上記被載置体には、上記絶縁電線を掛止可能な掛止部が設けられ、
上記電気機器は、上記絶縁電線が上記掛止部に掛止されて上記被載置体に固定されることを特徴とする電気機器固定構造。
【請求項３】
上記被載置体は、上記電気機器が載置される被載置用の電気機器であることを特徴とする請求項２に記載の電気機器固定構造。
【請求項４】
上記被載置用の電気機器には、当該電気機器の底面と側面とで作られる稜の部分を切り欠いた切欠部が形成され、
上記掛止部は、上記切欠部から略下方に延出した形状とされていることを特徴とする請求項３に記載の電気機器固定構造。
【請求項５】
上記掛止部には、下端部から同掛止部の延出方向とは異なる方向に延出して上記掛止した絶縁電線の脱落を防ぐ延出部が形成されていることを特徴とする請求項４に記載の電気機器固定構造。
【請求項６】
上記延出部は、略水平方向に延出するとともに、先端部から略上方に突出した突起が形成されていることを特徴とする請求項５に記載の電気機器固定構造。
【請求項７】
上記絶縁電線は、断面が非円形とされた電源コードであり、略鉛直方向における上記突起の上端部と上記切欠部との間隔は、上記電源コードの断面において最も長くなる最長方向の長さより短く、かつ、同電源コードの断面において最も短くなる最短方向の長さより長くされ、
略鉛直方向における上記突起の下端部と上記切欠部との間隔は、上記電源コードの断面における最長方向の長さより長くされていることを特徴とする請求項６に記載の電気機器固定構造。
【請求項８】
延出した絶縁電線を有する被載置用の電気機器と、別の延出した絶縁電線を有して同被載置用の電気機器に載置された載置用の電気機器と、を互いに固定する電気機器固定構造であって、
上記被載置用および載置用の電気機器のいずれか一方には、他方の電気機器の絶縁電線を掛止可能な掛止部が設けられ、上記被載置用および載置用の電気機器は、同他方の電気機器の絶縁電線が同掛止部に掛止されて互いに固定されることを特徴とする電気機器固定構造。
【請求項９】
上記掛止部は、上記被載置用の電気機器の複数の箇所に設けられていることを特徴とする請求項３〜請求項８のいずれかに記載の電気機器固定構造。
【請求項１０】
上記被載置体に載置される電気機器には、当該電気機器の底面から略下方に突出した足が設けられ、
上記被載置体には、上記足が設けられた電気機器を載置する所定の載置面に上記足を略下方に挿入可能な凹部が形成されていることを特徴とする請求項２〜請求項９のいずれかに記載の電気機器固定構造。
【請求項１１】
上記凹部は、上記足の数よりも多く形成されていることを特徴とする請求項１０に記載の電気機器固定構造。
【請求項１２】
延出した絶縁電線を有する電気機器が被載置体に載置されたときに同電気機器を同被載置体に固定する電気機器固定方法であって、
上記被載置体に、上記絶縁電線を掛止可能な掛止部を設け、
上記絶縁電線を上記掛止部に掛止させることにより、上記電気機器を上記被載置体に固定することを特徴とする電気機器固定方法。
【請求項１３】
延出した絶縁電線を有する被載置用の電気機器と、別の延出した絶縁電線を有して同被載置用の電気機器に載置された載置用の電気機器と、を互いに固定する電気機器固定方法であって、
上記被載置用および載置用の電気機器のいずれか一方に、他方の電気機器の絶縁電線を掛止可能な掛止部を設け、同他方の電気機器の絶縁電線を同掛止部に掛止させることにより、上記被載置用および載置用の電気機器を互いに固定することを特徴とする電気機器固定方法。
【発明の詳細な説明】
【０００１】
【発明の属する技術分野】
本発明は、テレビジョン等の電気機器が被載置体に載置されたときに同電気機器を同被載置体に固定するテレビジョン固定構造、電気機器固定構造および電気機器固定方法に関する。
【０００２】
【従来の技術】
従来、地震等の際に被載置体に載置されたテレビジョンが転倒することを防止する技術として、特許文献１〜３に開示されたものが知られている。
特許文献１に開示された技術は、テレビジョンの背面に支持部を設けておくとともにテレビジョン載置台の背面上部にベルトホルダーを取り付けておき、テレビジョン載置台にテレビジョンを載置したとき、ベルトを支持部に引っ掛けた後、ベルトホルダーで同ベルトを保持するものである。
特許文献２に開示された技術は、テレビジョンの背面にバンド挿入孔を形成しておき、ラックにテレビジョンを載置したとき、バンドに設けられた嵌入部をバンド挿入孔に挿入したのち、同バンドをネジでラックの背面上部に固定するものである。
特許文献３に開示された技術は、スタンドの背面上部にバックルのアンカー部を取り付けるとともにテレビジョンの背面に同アンカー部の受け部を取り付けておき、スタンドにテレビジョンを載置したとき、アンカー部を受け部に挿入して固定するものである。
【０００３】
また、１９インチ程度以下のテレビジョンでは、省スペースのため、ビデオデッキやＤＶＤプレーヤ等の電気機器の上に直接置かれることがある。
【０００４】
【特許文献１】
特開平９−１５４６５６
【特許文献２】
特開平９−３７１９１
【特許文献３】
特開平５−６８２２０
【０００５】
【発明が解決しようとする課題】
上述した従来の技術は、テレビジョンをテレビジョン載置台等に固定するものである。従って、テレビジョンを他の電気機器の上に直接置いたときには、テレビジョンは電気機器に固定されないことになる。また、別途、ベルト、バンド、バックルという部材が必要であった。そこで、このような部材がなくても、被載置用の電気機器等の被載置体にテレビジョンを固定して地震等の際にテレビジョンが転倒することを防ぎたいという希望があった。
【０００６】
本発明は、上記課題にかんがみてなされたもので、別途ベルト等の部材を用意する必要なく、容易にテレビジョン等の電気機器を被載置体に固定することが可能なテレビジョン固定構造、電気機器固定構造および電気機器固定方法の提供を目的とする。
【０００７】
【課題を解決するための手段】
上記目的を達成するため、請求項１にかかる発明は、キャビネットに基部を固定されて同キャビネットから略後方に延出した断面が非円形の電源コードを有するテレビジョンが被載置体に載置されたときに同テレビジョンを同被載置体に固定することにより、振動が加えられた際にテレビジョンが転倒することを防止するテレビジョン固定構造において、上記被載置体は、上記テレビジョンが載置される被載置用の電気機器であり、上記被載置用の電気機器には、当該電気機器の底面と背面とで作られる稜の部分を切り欠いた切欠部が形成され、当該切欠部には、略下方に延出して上記電源コードを掛止可能な一対の掛止部が設けられ、当該一対の掛止部のそれぞれには、下端部から略水平方向であって互いに略反対方向に延出して上記掛止した電源コードの脱落を防ぐ延出部が形成され、さらに、当該延出部には、先端部から略上方に突出した突起が形成され、略鉛直方向における上記突起の上端部と上記切欠部との間隔は、上記電源コードの断面において最も長くなる最長方向の長さより短く、かつ、同電源コードの断面において最も短くなる最短方向の長さより長くされ、略鉛直方向における上記突起の下端部と上記切欠部との間隔は、上記電源コードの断面における最長方向の長さより長くされ、上記テレビジョンは、上記電源コードが上記突起と上記切欠部の間から上記延出部と上記切欠部の間に挿入されて上記一対の掛止部に巻かれて掛止されることにより、上記被載置用の電気機器に固定される構成としてある。
【０００８】
テレビジョンが被載置用の電気機器に載置されたとき、電源コードの最短方向を略鉛直方向に向けると、電源コードを突起と切欠部の間から延出部と切欠部の間へ挿入することができる。挿入後に電源コードの最長方向を略鉛直方向に向けると、電源コードは突起と切欠部の間を通り抜けることができない。すなわち、電源コードは掛止部から外れにくくなっており、電源コードを突起と切欠部の間から延出部と切欠部の間へ挿入しながら一対の掛止部に巻いて掛止させることができる。
なお、一対の掛止部は、テレビジョンがある方向とは反対方向に延出しているので、電源コードが掛止部から外れにくくなっている。また、掛止部に掛止された電源コードは、下方に移動すると、掛止部の下端部から同掛止部の延出方向とは異なる略水平方向に延出した延出部に当たってそれ以上移動することができなくなるので、脱落が防がれる。さらに、同電源コードは、延出部の先端部側に移動すると、延出部の先端部から略上方に突出した突起に当たってそれ以上移動することができなくなるので、脱落が防がれる。
【０００９】
テレビジョンのキャビネットから延出した電源コードが一対の掛止部に掛止されると、テレビジョンは一対の掛止部が設けられた被載置用の電気機器に固定される。すなわち、テレビジョンに設けられた電源コードを利用することにより、別途ベルト、バンド、バックル等の部材を用意する必要なく、容易にテレビジョンを被載置用の電気機器に固定することができる。その結果、地震等の際にテレビジョンが転倒することを防ぐことができる。
【００１０】
上記電源コードがキャビネットから略後方に延出しているとは、厳密に後方に延出しているのみならず、斜め後方に延出している場合を含む。上記掛止部が略下方に延出しているとは、厳密に下方に延出しているのみならず、斜め下方に延出している場合を含む。略水平方向とは、厳密に水平な方向のみならず、水平方向から斜め上方とされた方向や斜め下方とされた方向を含む。上記延出部が互いに略反対方向に延出しているとは、厳密に１８０°（度）異なる方向に延出しているのみならず、１８０°異なる方向に対して斜めにずれた方向を含む。上記突起が略上方に突出しているとは、厳密に上方に突出しているのみならず、斜め上方に突出している場合を含む。略鉛直方向とは、厳密に鉛直の方向のみならず、鉛直方向から斜めにずれた方向を含む。以下も、同様である。
上記被載置用の電気機器は、ビデオデッキ、ＤＶＤプレーヤ、等、様々な電気機器が考えられる。
【００１１】
ところで、テレビジョン以外の電気機器を被載置体に固定する場合にも、本発明を適用することが可能である。そこで、請求項２にかかる発明は、延出した絶縁電線を有する電気機器が被載置体に載置されたときに同電気機器を同被載置体に固定する電気機器固定構造であって、上記被載置体には、上記絶縁電線を掛止可能な掛止部が設けられ、上記電気機器は、上記絶縁電線が上記掛止部に掛止されて上記被載置体に固定される構成としてある。
【００１２】
電気機器が被載置体に載置されたとき、電気機器から延出した絶縁電線が掛止部に掛止されると、電気機器は掛止部が設けられた被載置体に固定される。すなわち、電気機器に設けられた絶縁電線を利用することにより、別途ベルト等の部材を用意する必要なく、容易に電気機器を被載置体に固定することができる。その結果、地震等の際に電気機器が転倒することを防ぐことができる。
上記絶縁電線は、絶縁物で囲まれた導線であればよく、電源コード、アース線、等、様々なものが考えられる。
【００１３】
ここで、請求項３にかかる発明のように、上記被載置体は、上記電気機器が載置される被載置用の電気機器である構成としてもよい。すると、被載置用の電気機器に載置した電気機器を同被載置用の電気機器に固定することができる。
【００１４】
その際、請求項４にかかる発明のように、上記被載置用の電気機器には、当該電気機器の底面と側面とで作られる稜の部分を切り欠いた切欠部が形成され、上記掛止部は、上記切欠部から略下方に延出した形状とされている構成としてもよい。掛止部は、載置した電気機器がある方向とは反対方向に延出しているので、絶縁電線が掛止部から外れにくくなる。
上記側面は、ある面を正面としたときに左右となる面であってもよいし、背面であってもよいし、正面であってもよく、これらの場合の全てが上記側面に含まれる。
【００１５】
掛止部を被載置用の電気機器から略下方に延出させた形状とすると絶縁電線が掛止部から外れにくくなる点で有用であるものの、上記掛止部は、上記被載置用の電気機器の側面から当該側面に対して略垂直方向に延出した形状とされている構成としてもよい。この場合であっても、絶縁電線が掛止部に掛止されるので、被載置用の電気機器に載置した電気機器を同被載置用の電気機器に固定することができる。
【００１６】
上記掛止部は、様々な形状が考えられる。その一例として、請求項５にかかる発明は、上記掛止部には、下端部から同掛止部の延出方向とは異なる方向に延出して上記掛止した絶縁電線の脱落を防ぐ延出部が形成されている構成としてある。すなわち、掛止部に掛止された絶縁電線は、下方に移動すると、掛止部の下端部から同掛止部の延出方向とは異なる方向に延出した延出部に当たってそれ以上移動することができなくなるので、脱落が防がれる。
【００１７】
上記延出部は、略水平方向に延出するとともに、先端部から略上方に突出した突起が形成されている構成としてもよい。すなわち、掛止部に掛止された絶縁電線は、延出部の先端部側に移動すると、延出部の先端部から略上方に突出した突起に当たってそれ以上移動することができなくなるので、脱落が防がれる。
【００１８】
上記絶縁電線は、断面が非円形とされた電源コードであり、略鉛直方向における上記突起の上端部と上記切欠部との間隔は、上記電源コードの断面において最も長くなる最長方向の長さより短く、かつ、同電源コードの断面において最も短くなる最短方向の長さより長くされ、略鉛直方向における上記突起の下端部と上記切欠部との間隔は、上記電源コードの断面における最長方向の長さより長くされている構成としてもよい。電源コードの最短方向を略鉛直方向に向けると、電源コードを突起と切欠部の間から延出部と切欠部の間へ挿入することができる。挿入後に電源コードの最長方向を略鉛直方向に向けると、電源コードは突起と切欠部の間を通り抜けることができない。従って、掛止部から電源コードが外れにくくなる。
【００１９】
ところで、絶縁電線を有する電気機器どうしを固定する場合にも、本発明を適用することが可能である。そこで、請求項８にかかる発明は、延出した絶縁電線を有する被載置用の電気機器と、別の延出した絶縁電線を有して同被載置用の電気機器に載置された載置用の電気機器と、を互いに固定する電気機器固定構造であって、上記被載置用および載置用の電気機器のいずれか一方には、他方の電気機器の絶縁電線を掛止可能な掛止部が設けられ、上記被載置用および載置用の電気機器は、同他方の電気機器の絶縁電線が同掛止部に掛止されて互いに固定される構成としてある。
【００２０】
載置用の電気機器が被載置用の電気機器に載置されたとき、両電気機器のいずれかから延出した絶縁電線が掛止部に掛止されると、両電気機器は互いに固定される。すなわち、電気機器に設けられた絶縁電線を利用することにより、別途ベルト等の部材を用意する必要なく、容易に両電気機器を互いに固定することができる。その結果、地震等の際に電気機器が転倒することを防ぐことができる。
【００２１】
なお、両電気機器を互いに固定する態様には、少なくとも、載置用の電気機器を被載置用の電気機器に固定する場合と、載置用の電気機器に被載置用の電気機器を固定する場合とが含まれる。
【００２２】
上記掛止部は、上記被載置用の電気機器の複数の箇所に設けられている構成としてもよい。絶縁電線の取り付け位置が異なる種々の電気機器に対して、引っ掛けやすい位置で絶縁電線を掛止することができる。
【００２３】
ところで、請求項１０にかかる発明のように、上記被載置体に載置される電気機器には、当該電気機器の底面から略下方に突出した足が設けられ、上記被載置体には、上記足が設けられた電気機器を載置する所定の載置面に上記足を略下方に挿入可能な凹部が形成されている構成としてもよい。被載置体に載置される電気機器の足が被載置体の凹部に挿入されるので、電気機器は被載置体上で動きにくくなる。
【００２４】
上記凹部は、上記足の数よりも多く形成されている構成としてもよい。すると、足の取り付け位置が異なる種々の電気機器に対して、挿入しやすい位置で足を凹部に挿入することができる。
【００２５】
なお、電気機器を被載置体に固定する手順にも発明が存在する。そこで、請求項１２にかかる発明は、延出した絶縁電線を有する電気機器が被載置体に載置されたときに同電気機器を同被載置体に固定する電気機器固定方法であって、上記被載置体に、上記絶縁電線を掛止可能な掛止部を設け、上記絶縁電線を上記掛止部に掛止させることにより、上記電気機器を上記被載置体に固定する構成としてある。
【００２６】
また、請求項１３にかかる発明は、延出した絶縁電線を有する被載置用の電気機器と、別の延出した絶縁電線を有して同被載置用の電気機器に載置された載置用の電気機器と、を互いに固定する電気機器固定方法であって、上記被載置用および載置用の電気機器のいずれか一方に、他方の電気機器の絶縁電線を掛止可能な掛止部を設け、同他方の電気機器の絶縁電線を同掛止部に掛止させることにより、上記被載置用および載置用の電気機器を互いに固定する構成としてある。
すなわち、本発明は電気機器固定方法としても適用可能であり、請求項１、請求項３〜請求項７、請求項９〜請求項１１に記載された構成を当該方法に対応させることも可能である。
【００２７】
【発明の効果】
以上説明したように、請求項１にかかる発明によれば、別途ベルト等の部材を用意する必要なく、容易にテレビジョンを被載置用の電気機器に固定することが可能となる。その結果、地震等の際にテレビジョンが転倒することを防ぐことが可能となる。
請求項２、請求項１２にかかる発明によれば、別途ベルト等の部材を用意する必要なく、容易に電気機器を被載置体に固定することが可能となる。その結果、地震等の際に電気機器が転倒することを防ぐことが可能となる。
請求項３にかかる発明によれば、別途ベルト等の部材を用意する必要なく、容易に被載置用の電気機器に載置した電気機器を同被載置用の電気機器に固定することが可能となる。
【００２８】
請求項４にかかる発明によれば、絶縁電線が掛止部から外れにくくなるので、より確実に電気機器を固定することが可能となる。
請求項５、請求項６にかかる発明によれば、掛止部に掛止された絶縁電線の脱落が防がれるので、さらに掛止部から絶縁電線が外れにくくなり、さらに確実に電気機器を固定することが可能となる。
請求項７にかかる発明によれば、掛止部から電源コードが外れにくくなるので、さらに確実に電気機器を固定することが可能となる。
【００２９】
請求項８、請求項１３にかかる発明によれば、別途ベルト等の部材を用意する必要なく、容易に両電気機器を互いに固定することが可能となる。その結果、地震等の際に電気機器が転倒することを防ぐことが可能となる。
請求項９にかかる発明によれば、絶縁電線の取り付け位置が異なる種々の電気機器に対して、引っ掛けやすい位置で絶縁電線を掛止することができるので、利便性を向上させることができる。
【００３０】
請求項１０にかかる発明によれば、電気機器は被載置体上で動きにくくなるので、地震等の際に電気機器が転倒することをより確実に防ぐことが可能となる。
請求項１１にかかる発明によれば、足の取り付け位置が異なる種々の電気機器に対して、挿入しやすい位置で足を凹部に挿入することができるので、利便性を向上させることができる。
【００３１】
【発明の実施の形態】
以下、下記の順序に従って本発明の実施形態を説明する。
（１）テレビジョン固定構造の説明：
（２）テレビジョン固定構造の作用：
（３）変形例：
（４）まとめ：
【００３２】
（１）テレビジョン固定構造の説明：
図１は、本発明の一実施形態にかかるテレビジョン固定構造（電気機器固定構造）を有するＤＶＤ視聴システム１００を、背面と右側面と上面を臨む斜視図により示している。本システム１００は、載置用の電気機器であるテレビジョン（以下、ＴＶとも記載）１０と、被載置用の電気機器であるＤＶＤプレーヤ（被載置体）２０とから構成されている。なお、図の左上方向を前方向（正面側）、右下方向を後方向（背面側）、上方向を上方向、下方向を下方向として、説明する。
【００３３】
ＴＶ１０は、１９インチ以下の小型のテレビジョンであり、樹脂製のキャビネット１１の内部に図示しないブラウン管やその他の内部機器や基板等が収容されている。そして、基板に実装された制御回路の制御により、放送電波を受信したりＤＶＤプレーヤ２０から所定のフォーマットの信号を入力したりして、対応する映像と音声を出力する。ブラウン管の表示面を前側に配置していることから、ＴＶ１０の重心は前側に偏っている。従って、地震等の振動が加えられると、ＴＶ１０は前側に転倒しやすくなっている。
本ＴＶ１０は、キャビネット１１の背面１１ａから後方（実際には略後方）に延出した電源コード（絶縁電線）１２を有している。電源コード１２の基部１２ａは、樹脂製とされており、キャビネットの背面１１ａに取り付けられて固定されている。なお、電源コードの基部１２ａは、所定の引っ張り試験に耐えることができる強度（例えば、電源コード１２でＴＶ１０の本体を吊り下げることができる強度）とされている。
【００３４】
図２は、電源コード１２の断面を示している。本電源コード１２は、ＪＩＳ  Ｃ３００５に規定する平形電線であり、２本の導線１２ｃ，１２ｃの周囲をそれぞれ絶縁体１２ｄ，１２ｄで被覆し、さらに絶縁体１２ｄ，１２ｄをシース１２ｅで覆った電機機器用ビニル絶縁電線である。電源コード１２の断面は、非円形（図の例では、二つの円を一部重ねて合わせた形状）とされており、図の左右方向が電源コードの断面において最も長くなる最長方向であり、図の上下方向が電源コードの断面において最も短くなる最短方向である。なお、最長方向の断面の長さをＬｍａｘ、最短方向の断面の長さをＬｍｉｎと表すことにする。そして、電源プラグ１２ｂが図示しない１００Ｖの家庭用のコンセントに差し込まれると、導線１２ｃ，１２ｃを介してＴＶ１０に電力が供給される。
【００３５】
ＤＶＤプレーヤ２０は、金属製のキャビネット２１の内部に図示しないＤＶＤ駆動機構やその他の内部機器や基板等が収容されており、基板に実装された制御回路の制御により、ＤＶＤから記録信号を読み出して所定のフォーマットの映像信号や音声信号をＴＶ１０に対して出力する。ここで、ＤＶＤプレーヤ２０とＴＶ１０とは、図示しないＡＶケーブルで接続されており、ＤＶＤプレーヤ２０から出力される映像信号や音声信号は、同ＡＶケーブルを介してＴＶ１０に入力される。
【００３６】
図３は、図１のＡ１の位置から臨んだときにＤＶＤ視聴システム１００を電源コードの基部１２ａの手前で断面視した垂直断面図である。また、図４は、電源コード１２を掛止部２３に巻いていない状態で図３の掛止部２３付近を拡大して示した垂直断面図である。なお、わかりやすく説明するため、背景に見える部材の一部を省略している。
図に示すように、ＤＶＤプレーヤのキャビネット２１の上面は、ＴＶ１０を載置する所定の載置面２１ｃとされている。ＴＶ１０の底面１１ｂには、同底面１１ｂから下方（略下方）に突出した四つのゴム製の足１３（図３では、一つのみ図示）が取り付けられており、ＤＶＤプレーヤの載置面２１ｃの上に四つの足１３が載せられるようになっている。
【００３７】
ＤＶＤプレーヤのキャビネット２１には、底面２１ｂと背面（側面の一つ）２１ａとで作られる稜の部分を切り欠いた形状の切欠部２２が形成されている。なお、図の下段に模式的に示したように、稜とは、二つの平面（厳密な平面のみならず、平面に近い面を含む）が交わってできる線をいう。切欠部２２は、キャビネット２１の底面２１ｂと平行（略平行）な水平面２２ａと、キャビネット２１の背面２１ａと平行（略平行）な垂直面２２ｂとを有している。
【００３８】
切欠部２２には、水平面２２ａから下方（略下方）に延出して電源コード１２を掛止することが可能とされた樹脂製の一対の掛止部２３，２３が設けられている。掛止部２３，２３は、円柱を２回直角（略直角）に折り曲げた形状とされて、互いに同じ形状とされている。掛止部２３，２３の基部２３ｃ，２３ｃは、切欠部の水平面の下面に対してねじ２４，２４によりねじ留めされ、固定されるようになっている。ＤＶＤプレーヤ２０に載置されたＴＶ１０は、電源コード１２が掛止部２３，２３に巻かれて掛止されることにより、同ＤＶＤプレーヤ２０に固定され、地震等の振動が加えられた際に転倒することが防止されるようになっている。
【００３９】
一対の掛止部２３，２３のそれぞれには、下端部２３ｄから同掛止部の延出方向とは異なる方向に延出して電源コード１２の脱落を防ぐ延出部２３ａ，２３ａが形成されている。本実施形態では、前側の掛止部２３に水平（略水平）方向であって前方向に延出した延出部２３ａを形成し、後側の掛止部２３に水平（略水平）方向であって後方向に延出した延出部２３ａを形成している。すなわち、延出部２３ａ，２３ａは、下端部２３ｄから水平（略水平）方向であって互いに反対（略反対）方向に延出している。これにより、掛止部２３，２３に掛止された電源コード１２は、下方に移動すると、掛止部の延出方向とは異なる方向に延出した延出部２３ａ，２３ａに当たってそれ以上移動することができなくなる。すなわち、延出部２３ａ，２３ａは、掛止した電源コード１２の脱落を防ぐようになっている。従って、掛止部から電源コードが外れにくくなり、確実にＴＶをＤＶＤプレーヤに固定することが可能となる。
【００４０】
また、延出部２３ａ，２３ａのそれぞれには、先端部２３ｅから上方（略上方）に突出した突起２３ｂ，２３ｂが形成されている。すなわち、掛止部２３，２３に掛止された電源コード１２は、延出部の先端部側に移動すると、上方に突出した突起２３ｂ，２３ｂに当たってそれ以上移動することができなくなる。すなわち、突起２３ｂ，２３ｂも、掛止した電源コード１２の脱落を防ぐようになっている。従って、掛止部から電源コードが外れにくくなり、確実にＴＶをＤＶＤプレーヤに固定することが可能となる。
【００４１】
ところで、鉛直（略鉛直）方向における突起２３ｂの上端部２３ｂ１と切欠部の水平面２２ａとの間隔Ｌ１は、電源コード１２の断面において最も長くなる最長方向の長さＬｍａｘより短く、かつ、同電源コード１２の断面において最も短くなる最短方向の長さＬｍｉｎより長くされている。従って、ＴＶ１０がＤＶＤプレーヤ２０に載置されたとき、電源コード１２の最短方向を鉛直方向に向けると、電源コード１２を突起２３ｂと切欠部の水平面２２ａの間から延出部２３ａと切欠部の水平面２２ａの間へ挿入することができる。
なお、一対の掛止部２３，２３は、樹脂製であるため、若干撓むようになっており、撓み動作を経て電源コード１２を延出部２３ａと水平面２２ａの間へ挿入することも可能である。
【００４２】
また、鉛直（略鉛直）方向における突起２３ｂの下端部２３ｂ２と切欠部の水平面２２ａとの間隔は、電源コード１２の断面における最長方向の長さＬｍａｘより長くされている。従って、電源コード１２を延出部２３ａと切欠部の水平面２２ａの間へ挿入した後に電源コード１２の最長方向を鉛直方向に向けると、電源コード１２は突起２３ｂと切欠部の水平面２２ａの間を通り抜けることができない。すなわち、電源コード１２は掛止部から外れにくくなっている。
そこで、図５に示すように、前後にわたって設けられた各掛止部２３，２３に対して順次、断面の向きを変えながら電源コード１２を延出部２３ａと水平面２２ａの間に挿入して一対の掛止部２３，２３に対して引っ掛けるように巻いていくと、電源コード１２を一対の掛止部２３，２３に巻いて掛止させることができる。なお、掛止部２３，２３は樹脂製であるため、電源コード１２を強く巻くと掛止部２３，２３どうしの隙間が若干少なくなり、掛止部２３，２３には元の間隔まで拡がろうとする力が生じる。従って、巻いた電源コード１２が緩みにくくなっており、この点でも電源コード１２は掛止部から外れにくくなっている。
このように、ＴＶ１０は、電源コード１２が突起２３ｂと切欠部２２の間から延出部２３ａと切欠部２２の間に挿入されて一対の掛止部２３，２３に巻かれて掛止されることにより、ＤＶＤプレーヤ２０に固定される。
【００４３】
掛止部２３，２３に電源コード１２を巻く回数は、突起２３ｂと切欠部の水平面２２ａの間へ挿入することができる回数であれば制限はない。従って、電源コード１２を１回だけ掛止部に巻いて掛止させるようにしてもよいし、延出部２３ａと水平面２２ａにまで挿入することができなくなって突起２３ｂと水平面２２ａの間でとどまる状態まで巻いて掛止させるようにしてもよい。
【００４４】
（２）テレビジョン固定構造の作用：
以下、本テレビジョン固定構造の作用を説明する。
上述したように、ＤＶＤプレーヤ２０の載置面２１ｃの上にＴＶ１０を置き、電源コード１２を一対の掛止部２３，２３に巻くと、電源コード１２は同掛止部２３，２３に掛止されるので、ＴＶ１０がＤＶＤプレーヤ２０に固定される。すなわち、ＴＶに設けられた電源コードを利用することにより、別途ベルト、バンド、バックル等の部材を用意する必要なく、容易にＴＶをＤＶＤプレーヤに固定することができる。
【００４５】
ここで、ＤＶＤ視聴システム１００に対して、地震等の振動が加えられたとする。ＴＶ１０の重心は前側に偏っているので、ＴＶ１０にはＤＶＤプレーヤ２０の上面において前側に転倒する力が加えられる。すると、図３に示すように、ＴＶ１０とＤＶＤプレーヤ２０との間にある電源コード１２には、上向きの引っ張り力Ｆ１が加えられる。ここで、電源コード１２はＤＶＤプレーヤの掛止部２３，２３に掛止されているので、上向きの力Ｆ１が加えられても電源コード１２は上方へは移動しない。その結果、ＴＶ１０は前側に転倒せず、ＤＶＤプレーヤ２０の上面において同ＤＶＤプレーヤ２０に固定されたままとなる。
また、ＴＶ１０に対して水平方向の力が加えられても、ＴＶの電源コード１２がＤＶＤプレーヤの掛止部２３に掛止されているので、横滑りもほとんど生じない。この点でも、ＴＶ１０はＤＶＤプレーヤ２０上から下方へ転倒しなくなる。
なお、電源コード１２は、電源コード１２でＴＶ１０の本体を吊り下げる等の所定の引っ張り試験に耐えることができるように基部１２ａが樹脂製とされてキャビネットの背面１１ａに取り付けられて固定されている。従って、ＴＶ１０に地震等の振動が加えられても、電源コード１２はＴＶ１０の本体から容易には引きちぎられたり、切断されたりすることはない。
【００４６】
このように、ＴＶに設けられた電源コードを利用することにより、別途ベルト、バンド、バックル等の部材を用意する必要なく、容易にＴＶを被載置用の電気機器に固定することができる。その結果、地震等の際にＴＶが転倒することを防ぐことができる。
また、一対の掛止部２３，２３は、載置したＴＶ１０がある方向とは反対の下方（略下方）に延出しているので、電源コード１２が掛止部２３，２３から外れにくくなっており、確実にＴＶを被載置用の電気機器に固定することが可能である。
【００４７】
（３）変形例：
ところで、本発明のテレビジョン固定構造は、様々な変形例が考えられる。
ＴＶが載置される被載置体は、ＤＶＤプレーヤ以外にも、ビデオデッキ等、様々なものが考えられる。むろん、電気機器以外でも、テレビジョン台のように、テレビジョンを置くことが可能な台であってもよい。一方、被載置体に載置する電気機器としては、ＴＶ以外にも、ＤＶＤプレーヤ、ビデオデッキ、等、様々なものが考えられる。これらの電気機器を用いて電気機器固定構造を構成しても、載置用の電気機器に設けられた電源コードを利用することにより、別途ベルト等の部材を用意する必要なく、容易に載置用の電気機器を被載置用の電気機器に固定することが可能である。
また、ＤＶＤプレーヤもキャビネットから延出した電源コードを有しているので、ＤＶＤプレーヤの電源コードを利用してＴＶとＤＶＤプレーヤとを固定するようにしてもよい。
【００４８】
図６は、変形例にかかるテレビジョン固定構造を有するＤＶＤ視聴システムを断面視した垂直断面図である。なお、図３と構成が同様のものについては、同じ符号を付して説明を省略する。
図に示すように、ＤＶＤプレーヤ２０は、キャビネット２１の背面２１ａから後方（略後方）に延出した電源コード（絶縁電線）２５を有している。電源コード２５の基部２５ａは、樹脂製とされており、キャビネットの背面２１ａに取り付けられて固定されている。
【００４９】
一方、ＴＶ（載置用の電気機器）１０のキャビネットの背面１１ａには、前方（略前方）に向かって切り欠かれた形状の切欠部１４が形成されている。切欠部１４は、キャビネット１１の底面１１ｂと平行（略平行）な水平面１４ａ，ｃと、キャビネット１１の背面１１ａと平行（略平行）な垂直面１４ｂとを有している。ここで、両水平面１４ａ，ｃは相対向しており、水平面１４ａが下側とされ、水平面１４ｃが上側とされている。
切欠部１４には、水平面１４ａから上方（略上方）に延出して電源コード２５を掛止することが可能とされた樹脂製の一対の掛止部１５，１５が設けられている。掛止部１５，１５は、上記掛止部２３，２３と同様の形状とされている。
【００５０】
前後にわたって設けられた各掛止部１５，１５に対して順次、断面の向きを変えながら電源コード２５を一対の掛止部１５，１５に対して引っ掛けるように巻いていくと、ＤＶＤプレーヤの電源コード２５を一対の掛止部１５，１５に巻いて掛止させることができる。本例では、ＤＶＤプレーヤの電源コード２５が掛止部１５，１５に巻かれて掛止されることにより、ＴＶ１０とＤＶＤプレーヤ２０が互いに固定される。
すなわち、被載置用の電気機器に設けられた電源コードを利用することによっても、別途ベルト等の部材を用意する必要なく、容易に両電気機器を互いに固定することができ、地震等の際に電気機器が転倒することを防ぐことが可能となる。特に、ＴＶの電源コードを被載置用の電気機器に掛止し難い場合に、本構造を採用することによって、確実に電源コードを掛止して両電気機器を互いに固定することが可能となるという有用な効果が得られる。
【００５１】
むろん、ＴＶの電源コードをＤＶＤプレーヤに掛止するのと同時に、ＤＶＤプレーヤの電源コードをＴＶに掛止することにより、ＴＶとＤＶＤプレーヤとを互いに固定してもよい。すると、さらに確実に両電気機器を互いに固定することができ、地震等の際に電気機器が転倒することを防ぐことが可能となる。
なお、電源コードの代わりに、アース線、アンテナ線、信号ケーブル、等、様々な絶縁電線を用いてもよい。
【００５２】
また、ＴＶ１０の足１３を下方に挿入可能な凹部を、ＤＶＤプレーヤ２０の載置面に設けてもよい。
図７は、別の変形例にかかるテレビジョン固定構造を有するＤＶＤ視聴システムを断面視した垂直断面図である。なお、図３と構成が同じものについては、同じ符号を付して説明を省略する。
図に示すように、ＤＶＤプレーヤ２０の所定の載置面２１ｃには、ＴＶ１０の足１３を下方（略下方）に挿入することが可能なように下方（略下方）に窪んだ形状の凹部２６が形成されている。図では一つしか示されていないが、実際には、凹部２６はＴＶの四つの足１３の位置に合わせて四つ形成されている。そして、四つの凹部２６がＴＶ１０の底面１１ｂから下方に突出した四つの足１３を下方に挿入させることにより、ＤＶＤプレーヤ２０上におけるＴＶ１０の位置が決められるようになっている。
【００５３】
上記構成により、被載置用の電気機器に載置されるＴＶの足が被載置用の電気機器の凹部に挿入されるので、ＴＶは被載置用の電気機器上で動きにくくなる。従って、地震等、振動が加えられた際にＴＶが転倒することをより確実に防ぐことが可能となる。
【００５４】
ここで、図８に示すように、凹部を、ＴＶの足の数よりも多く形成してもよい。すなわち、凹部２７は、ＤＶＤプレーヤの載置面２１ｃに、ＴＶの四つの足よりも多く形成されている。すると、足の取り付け位置が異なる種々のＴＶに対して、挿入しやすい位置で足を凹部に挿入することができるので、利便性を向上させることができる。
【００５５】
ところで、掛止部を被載置用の電気機器から下方に延出させた形状とすると電源コードが掛止部から外れにくくなる点で有用であるものの、掛止部を被載置用の電気機器の側面から当該側面に対して垂直方向に延出した形状としてよい。
図９は、別の変形例にかかるテレビジョン固定構造を有するＤＶＤ視聴システムを断面視した垂直断面図である。なお、図３と構成が同じものについては、同じ符号を付して説明を省略する。
図に示すように、ＤＶＤプレーヤ２０には、背面２１ａから後方（略後方）に延出して電源コード１２を掛止することが可能とされた樹脂製の一対の掛止部２８，２８が設けられている。掛止部２８，２８は、上記掛止部２３，２３と同様の形状とされている。
【００５６】
上下にわたって設けられた各掛止部２８，２８に対して順次、断面の向きを変えながら電源コード１２を一対の掛止部２８，２８に対して引っ掛けるように巻いていくと、ＴＶの電源コード１２を一対の掛止部２８，２８に巻いて掛止させることができる。
すなわち、ＤＶＤプレーヤの背面から後方に延出した掛止部を設けることによっても、電源コードが掛止部に掛止されるので、被載置用の電気機器に載置したＴＶを同被載置用の電気機器に固定することができる。
なお、ＤＶＤプレーヤに上述した切欠部２２を形成し、同切欠部２２の垂直面２２ｂから後方に向かって掛止部を延出させてもよい。すると、掛止部がＤＶＤプレーヤの背面から後方に出ないようになるので、ＤＶＤプレーヤを設置する際に掛止部が邪魔となることがなくなる。
【００５７】
電源コードを掛止する掛止部は、様々な形状が考えられる。例えば、上記突起２３ｂ，２３ｂが無くても、電源コード１２を巻いた状態で掛止することが可能である。
また、図１０は、別の変形例にかかるテレビジョン固定構造に用いられる掛止部３１を示している。なお、分かりやすく示すため、掛止部に巻かれた電源コードの一部を断面視している。
ＤＶＤプレーヤの切欠部２２には、水平面２２ａから下方（略下方）に延出して電源コード１２を掛止することが可能とされた一つのみからなる掛止部３１が設けられている。掛止部３１には、下端部３１ｄから水平（略水平）方向であって前方向と後方向とに延出した延出部３１ａ，３１ａが形成されている。すなわち、延出部３１ａ，３１ａは、下端部３１ｄから互いに反対（略反対）方向に延出している。また、延出部３１ａ，３１ａのそれぞれには、先端部３１ｅ，３１ｅから上方（略上方）に突出した突起３１ｂ，３１ｂが形成されている。上記掛止部２３と同様の作用により、掛止部から電源コードが外れにくくなり、確実にＴＶをＤＶＤプレーヤに固定することが可能となっている。
【００５８】
本掛止部３１の突起３１ｂの基部と切欠部の水平面２２ａとの間隔は、断面の最長方向が鉛直（略鉛直）方向となるように電源コード１２を向けて同電源コード１２を複数回掛止部３１に巻くことが可能な間隔とされている。ここで、前後（略前後）方向における掛止部３１の中心部分３１ｄ１と突起３１ｂとの間隔Ｌ３は、電源コード１２の断面における最短方向の長さＬｍｉｎより大きく、かつ、電源コード１２の断面における最長方向の長さＬｍａｘより小さくされている。従って、電源コード１２は、断面の最長方向が鉛直方向とされて掛止部３１に巻かれるようになっている。すなわち、電源コード１２は、断面の最長方向が鉛直方向に向けられて整然と掛止部３１に巻かれて掛止されるので、より確実に電源コードを掛止してＴＶを被載置用の電気機器に固定することが可能となる。
【００５９】
むろん、図１１に示すように、突起３２ｂの基部と切欠部の水平面２２ａとの間隔を、断面の最長方向が鉛直（略鉛直）方向となるように電源コード１２を向けて１回掛止部３２に巻くことができる程度としてもよい。なお、分かりやすく示すため、掛止部に巻かれた電源コードを断面視している。すると、電源コードを掛止する力は弱くなるものの、電源コードを１回巻くという簡単な作業でＴＶを被載置用の電気機器に固定することが可能となる。
【００６０】
また、図１２に示すように、掛止部３３に、電源コードの形状に合わせて同電源コード１２を収容可能な螺旋状の溝３３ｄ２を形成してもよい。なお、分かりやすく示すため、掛止部に巻かれた電源コードの一部を断面視している。同溝３３ｄ２は、掛止部３３の中心部分３３ｄ１の外周に形成されている。溝３３ｄ２の上下方向の長さは、電源コード１２の断面における最長方向の長さと略同じにしている。そして、最長方向が上下（略上下）方向となるように断面を向けた電源コード１２の一部を同溝３３ｄ２内に収容することが可能となっている。
【００６１】
溝３３ｄ２の螺旋形状に合わせて、最長方向が上下方向となるように断面を向けて電源コード１２を掛止部の中心部分３３ｄ１に巻くと、同電源コード１２の一部は溝３３ｄ２内に入る。すると、溝３３ｄ２に沿って電源コード１２を掛止部３３に固く巻くことができる。同電源コード１２は、溝３３ｄ２内に挿入されているので、巻かれた位置からずれにくくされている。従って、より確実に電源コードを掛止してＴＶを被載置用の電気機器に固定することが可能となる。
【００６２】
また、電源コードを引っ掛ける掛止部を、被載置用の電気機器における複数の箇所に設けてもよい。
図１３は、別の変形例にかかるテレビジョン固定構造を形成可能なＤＶＤプレーヤを背面から見て示した背面図である。
ＤＶＤプレーヤの切欠部２２には、水平面２２ａから下方（略下方）に延出してＴＶの電源コードを掛止することが可能とされた複数の掛止部３３が設けられている。ここで、複数の掛止部３４のいずれかにＴＶの電源コードを巻くと、電源コードが巻かれた掛止部に同電源コードが掛止されるようになっている。すると、電源コードの取り付け位置が異なる種々のＴＶに対して、引っ掛けやすい位置でＴＶを掛止することができるので、利便性を向上させることができる。
【００６３】
（４）まとめ：
以上説明したように、本発明によると、種々の態様により、別途ベルト等の部材を用意する必要なく、容易に電気機器を被載置体に固定することが可能となり、地震等、振動が加えられた際に電気機器が転倒することを防ぐことが可能となるテレビジョン固定構造および電気機器固定構造を提供することができる。また、本発明は、電気機器固定方法としても適用可能である。
【図面の簡単な説明】
【図１】本発明の一実施形態にかかるテレビジョン固定構造を有するＤＶＤ視聴システムを示す斜視図である。
【図２】電源コードの断面を示す断面図である。
【図３】図１のＡ１の位置から臨んだときのＤＶＤ視聴システムの垂直断面図である。
【図４】図３の掛止部２３付近を拡大して示す垂直断面図である。
【図５】電源コードを掛止部に巻いて掛止させる様子を模式的に示す図である。
【図６】変形例にかかるテレビジョン固定構造を有するＤＶＤ視聴システムの垂直断面図である。
【図７】別の変形例にかかるテレビジョン固定構造を有するＤＶＤ視聴システムの垂直断面図である。
【図８】別の変形例にかかるテレビジョン固定構造を形成可能なＤＶＤプレーヤを示す斜視図である。
【図９】別の変形例にかかるテレビジョン固定構造を有するＤＶＤ視聴システムの垂直断面図である。
【図１０】別の変形例にかかるテレビジョン固定構造に用いられる掛止部を示す側面図である。
【図１１】別の変形例にかかるテレビジョン固定構造に用いられる掛止部を示す側面図である。
【図１２】別の変形例にかかるテレビジョン固定構造に用いられる掛止部を示す側面図である。
【図１３】別の変形例にかかるテレビジョン固定構造を形成可能なＤＶＤプレーヤを示す背面図である。
【符号の説明】
１０…テレビジョン
１１…キャビネット
１１ａ…背面
１１ｂ…底面
１２…電源コード（絶縁電線）
１２ａ…基部
１３…足
１４…切欠部
１４ａ，ｃ…水平面
１４ｂ…垂直面
１５…掛止部
２０…ＤＶＤプレーヤ（被載置体）
２１…キャビネット
２１ａ…背面
２１ｂ…底面
２１ｃ…載置面
２２…切欠部
２２ａ…水平面
２２ｂ…垂直面
２３，２８，３１〜３４…掛止部
２３ａ，３１ａ…延出部
２３ｂ，３１ｂ，３２ｂ…突起
２３ｂ１…上端部
２３ｂ２…下端部
２３ｃ…基部
２３ｄ，３１ｄ…下端部
２３ｅ，３１ｅ…先端部
２５…電源コード（絶縁電線）
２５ａ…基部
２６，２７…凹部
３３ｄ２…螺旋状の溝
１００…ＤＶＤ視聴システム
【図１】
2004297252.tif 000003
【図２】
2004297252.tif 000004
【図３】
2004297252.tif 000005
【図４】
2004297252.tif 000006
【図５】
2004297252.tif 000007
【図６】
2004297252.tif 000008
【図７】
2004297252.tif 000009
【図８】
2004297252.tif 000010
【図９】
2004297252.tif 000011
【図１０】
2004297252.tif 000012
【図１１】
2004297252.tif 000013
【図１２】
2004297252.tif 000014
【図１３】
2004297252.tif 000015